(57)【要約】【課題】従来、サドル分水栓の経年老朽化による交換は、分水栓自体の止水機能を利用して交換されていたが腐食、錆等により止水機能が正常に作動しない場合は作業が困難となり、更に他の工法を見ても複雑で時間を要するなど何れも効率的なものではなく、やむを得ず配水管を断水して交換する工法も多く採用されており断水による近隣需要者へ迷惑をかける問題がある。【解決手段】既設サドル分水栓と配水管の間に極小隙間をつくり、その隙間の上弦部に配水管の外径と略同径に湾曲した金属製止水板を打込み、配水管の分水孔を覆孔しサドル分水栓の両側で止水板を挟持体で配水管に固定し、配水管内からの噴出水を概ね止水状態にしたうえで既設サドル分水栓を撤去し、同位置に新サドル分水栓を装着仮締し、止水板を引抜き再度サドル分水栓の装着用ボルトを本締めするものである。これにより、配水管を断水することなくサドル分水栓の交換ができる。【選択図】図２
2008128349.tif 000002
【特許請求の範囲】
【請求項１】
既設サドル分水栓の交換工法において、配水管に装着されているサドル分水栓の装着用ボルトを適宜緩め、サドル分水栓と配水管の間に極小隙間をつくり、その上弦部に配水管の外径と略同径に湾曲した金属製の止水板を、サドル分水栓の一端側より他端側へ突出するまで打込み挿入し、サドル分水栓の両側で打込まれた止水板を配水管に止水板固定用の挟持体で固定することにより、配水管の分水孔を覆孔し管内水圧による噴出水を概ね止水状態にしたうえで、既設サドル分水栓を撤去し同位置に新サドル分水栓を装着仮締めした後、止水板を引抜き再度新サドル分水栓の装着用ボルトを本締めすることを特徴とするサドル分水栓交換工法。
【請求項２】
配水管の外径と略同径に湾曲し、幅６ｃｍ〜９ｃｍ、長さ２５ｃｍ〜３５ｃｍ、厚さ０．８ｍｍ〜２．０ｍｍの金属部材から成り、また挿入側先端は１０度〜２０度のテーパーを成し、後端には打込み用の打撃部を具備することを特徴とする請求項１における止水板。
【発明の詳細な説明】
【技術分野】
【０００１】
本発明は上水道において、サドル分水栓の経年老朽化等により新サドル分水栓に交換するためのサドル分水栓交換工法と、その際に配水管分水孔の覆孔、止水に用いる止水板に関するものである。
【背景技術】
【０００２】
従来サドル分水栓の交換には配水管を断水して交換する方法がとられてきたが、断水により近隣需要者へ迷惑をかける問題がある。
【０００３】
このような交換工法に対し不断水による交換工法も開発されている。サドル分水栓交換機と穿孔機を併用する工法（例えば、特許文献１参照）、サドル分水栓交換機と先端に拡径装置の付いたスピンドルを併用する工法（例えば、特許文献２乃至３参照）またサドル分水栓交換機と先端にタップを備え、さらに上部に回転用ハンドルが付いているスピンドルを併用した工法（例えば、特許文献４乃至５参照）また支持ベースに取付けた回動アームを使用する工法（例えば、特許文献６参照）。
【０００４】
【特許文献１】特開２００６−１９４３４６号公報
【特許文献２】特開２００６−０４６３６４号公報
【特許文献３】特開２００４−２１１８５７号公報
【特許文献４】特開２００３−２６９６８１号公報
【特許文献５】特開２００３−０２８３７７号公報
【特許文献６】特開２００４−２１８７５７号公報
【発明の開示】
【発明が解決しようとする課題】
【０００５】
しかしながら、上記に述べた各工法では、例えば特許文献１に於いては既設サドル分水栓の止水機能が正常に作動しない場合でも作業はできるが、既設サドル分水栓へのサドル分水栓交換機の装着、更にサドル分水栓交換機への穿孔機の装着等と着脱の工程が多く労力と時間を要する問題がある。
【０００６】
また、特許文献２乃至５に於いては、既設サドル分水栓自体の止水機能が正常に作動することを前提としている。すなわち、既設サドル分水栓の経年老朽化に伴いボールバルブやバルブ軸等が腐食や錆で作動せず止水できない場合は、既設サドル分水栓内へ拡径装置付スピンドルやタップ或いはドリル付スピンドルの挿入が困難になる等、止水機能が正常に作動しないサドル分水栓の交換には効率的な工法とはいえず、たとえ分水栓の止水ができたとしても作業工程が複雑で時間を要する問題がある。
【０００７】
また、特許文献６に於いては、既設サドル分水栓と新しいサドル分水栓をそれぞれ回動アームに取付けて迅速に交換する工法であっても、既設サドル分水栓を除去した瞬間に配水管内水圧による直噴出水により、作業ピットやその回りおよび作業員が水浸しになる等、施工性や安全性の面で問題がある。
【０００８】
本発明は、上記の問題点を解決するためになされたもので、止水機能が正常に作動しない既設サドル分水栓の交換であっても簡単に交換できる工法の開発を課題としてなされたものである。
【課題を解決するための手段】
【０００９】
請求項１のサドル分水栓の交換工法は、配水管に装着されているサドル分水栓の装着用ボルトを適宜緩め、サドル分水栓と配水管の間に極小隙間をつくり、その上弦部に配水管の外径と略同径に湾曲した金属製の止水板を、サドル分水栓の一端側より他端側へ突出するまで打込み挿入し、サドル分水栓の両側で打込まれた止水板を配水管に止水板固定用の挟持体で固定することにより、配水管の分水孔を覆孔し管内水圧による噴出水を概ね止水状態にしたうえで、既設サドル分水栓を撤去し同位置に新サドル分水栓を装着仮締めした後、止水板を引抜き再度新サドル分水栓の装着用ボルトを本締めすることを特徴とする。
【００１０】
請求項２における止水板は、配水管の外径と略同径に湾曲し、幅６ｃｍ〜９ｃｍ、長さ２５ｃｍ〜３５ｃｍ、厚さ０．８ｍｍ〜２ｍｍの金属部材から成り、また挿入側先端は１０度〜２０度のテーパーを成し、後端には打込み用の打撃部を具備することを特徴とする。
【００１１】
新サドル分水栓を装着する際は、配水管に固定された止水板が引抜ける程度に装着用ボルトを仮締めし、止水板固定用の挟持体を取外し止水板を引抜くものであり、その後、緩みが生じたサドル分水栓の装着用ボルトを再度、堅固に本締めするものである。
【００１２】
また、配水管に装着されている既設サドル分水栓の装着用ボルトを適宜緩めた際に、配水管の分水孔より管内水圧により多少の噴出水はあるが作業に差し支える程の水量ではなく、この工法により作業に要する時間を大幅に短縮し、更に複雑な作業手順を要することなく確実にサドル分水栓の交換を行うことができる。
【発明の効果】
【００１３】
本発明のサドル分水栓交換工法であれば配水管を断水することなく、またサドル分水栓の経年老朽化によりボールバルブやバルブ軸等の止水機能が錆や腐食で開閉不能となり、止水できない場合であっても簡単に短時間で交換することができ、配水管の断水による近隣需要家への影響をなくす効果がある。
【発明を実施するための最良の形態】
【００１４】
以下、本発明の実施の形態を実施例に基づき図面を参照しつつ以下詳細に説明する。
【００１５】
図1の実施例における止水板４は、図6に示すように配水管１（φ１００ｍｍ）の外径と略同径に湾曲し、長さ３０ｃｍ、幅７ｃｍ、厚さ１ｍｍのステンレス製で、挿入側先端４１は約１５度のテーパーを成し、配水管１と既設サドル分水栓２との間にできる極小隙間に挿入し易い形状になっている。また後端には打込み易く且つ破損防止のため幅１０ｍｍ、高さ１５ｍｍの矩形断面を持つ金属部材が、湾曲に合わせて一体化した打撃部４２を具備している。
【００１６】
まず、図1において、既設サドル分水栓２を中心に、その左右両側の配水管１の表面をよく清掃し、既設サドル分水栓２の位置を配水管１に明確にマーキングする。これにより新サドル分水栓９が既設サドル分水栓２の装着されていた同位置にマーキングによって正確に装着でき、配水管１の分水孔と新サドル分水栓９の直立孔の位置を合致させることができる。
【００１７】
。
次いで、止水板４の打込みにより既設サドル分水栓２が押されてもずれないように、ずれ止めのベースとなる金属製二分割バンド５を、既設サドル分水栓２の左端側でその左端より１５ｃｍほど離れた位置の配水管１に設置し、支持金具６の先端部が既設サドル分水栓２の上弦部を突っ張る状態に配置し、後端部を二分割バンド５に固定ボルト７で締め付ける。また、支持金具６は配水管軸方向と平行に２本バランスよく配置され、止水板４の打込みにより、既設サドル分水栓２をずらすように作用する応力は均等に二分され２本の支持金具６を通じてずれ止めのベースとなる二分割バンド５に伝達されるように配置取付けられている。
【００１８】
図１および図3において、支持金具６の先端は、サドル分水栓を突っ張り或いは引っ張ることができる鍵形構造になっており、後端は二分割バンドにボルトで固定できる構造になっている。
【００１９】
次いで、既設サドル分水栓２の装着用ボルト３を適宜ゆるめて、既設サドル分水栓２と配水管１の間に極小隙間をつくり、その上弦部に配水管１の分水孔を覆孔するため、既設サドル分水栓２の右端側より止水板４を手ハンマー等を使用した打撃により打込み挿入する。
【００２０】
そして既設サドル分水栓２の左端より止水板４の先端が１０ｃｍほど突出した位置で打撃を止め、図2に示すように支持金具６を取外しサドル分水栓２の左右両側で止水板４を配水管１に止水板固定用の挟持体８で固定し、配水管１の分水孔を覆孔し管内水圧による噴出水を概ね止水状態にする。
【００２１】
次いで、既設サドル分水栓２の装着用ボルト３を取外し、既設サドル分水栓２を配水管１から撤去し、マーキングに添って同位置に新サドル分水栓９を装着し、止水板４が引抜ける程度に装着用ボルト１０を仮締めする。
【００２２】
図3において、止水板４の引抜きの際、仮締め状態の新サドル分水栓９が止水板４との間に生ずる摩擦抵抗によりずれないように、支持金具６の先端部が新サドル分水栓９を止水板４の引抜き方向と反対の方向に引っ張る状態に配置し、後端部は二分割バンド５に固定ボルト７で締付ける。この時、支持金具６は止水板打込み時と同様に配水管軸方向と平行に2本バランスよく配置されており、止水板４の引抜きによる新サドル分水栓に作用する応力は均等に二分され２本の支持金具６を通じてずれ止めのベースとなる二分割バンド５に伝達されるように配置取付けられている。
【００２３】
次いで、止水板４を配水管１に固定している挟持体８を取外し止水板４を引抜き、緩みが生じた新サドル分水栓の装着用ボルト10を再度、堅固に本締めし、図4に示すように支持金具６と二分割バンド５をそれぞれ撤去し、サドル分水栓の交換を完了する。
【図面の簡単な説明】
【００２４】
【図１】支持金具の取り付けと止水板を挿入している状態を示す。
【図２】挿入された止水板を配水管に固定した状態を示す。
【図３】新設サドル分水栓を支持金具で押さえ止水板を引抜いている状態を示す。
【図４】新設サドル分水栓の装着用ボルトを本締めし作業完了した状態を示す。
【図５】サドル分水栓の図４におけるＡ−Ａ線断面図。
【図６】止水板の詳細を示すもので、ａは本体の外観図であり、ｂはａのＢ−Ｂ線断面図で、ｃはｂの先端部詳細図である。
【符号の説明】
【００２５】
１    配水管
２    既設サドル分水栓
３    既設サドル分水栓装着用ボルト
４    止水板
４１  止水板先端部
４２  止水板打撃部
５    二分割バンド
６    支持金具
７    支持金具固定ボルト
８    挟持体
９    新サドル分水栓
１０  新サドル分水栓装着用ボルト
【図１】
2008128349.tif 000003
【図２】
2008128349.tif 000004
【図３】
2008128349.tif 000005
【図４】
2008128349.tif 000006
【図５】
2008128349.tif 000007
【図６】
2008128349.tif 000008